【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
頭端部、足端部、および前記頭端部と前記足端部との間に互いに平行となるように離間させて配置された入れ子状に伸縮可能な一対のトラック部材を有し、伸縮可能に構成された矩形フレームと、
前記矩形フレーム上に配置され、前記頭端部と前記足端部との間を前記トラック部材に沿って移動する可動キャリッジと、
前記可動キャリッジと前記矩形フレームの前記足端部との間に架け渡された複数の細長い弾性部材と
を有するリフォーマーエクササイズ装置であって、
前記可動キャリッジは、前記トラック部材が完全に縮められると前記トラック部材上で把持されるように構成されており、
前記可動キャリッジは、
前記入れ子状に伸縮可能な一対のトラック部材に嵌着する平行に離間した二条の溝、および前記二条の溝の間に架け渡された複数の横リブを有するキャリッジフレームと、
前記キャリッジフレームの前記溝に載置され、前記トラック部材の上面に沿って転動する一対のウェイト支持ローラ輪と、
前記ウェイト支持ローラ輪のそれぞれに隣接させて設けられ、前記トラック部材の一方の側壁に接しつつ転動するガイド輪とを備える
ことを特徴とするリフォーマーエクササイズ装置。
【請求項２】
前記キャリッジフレームは、前記リブに垂直にかつその間に離間して配置されそれぞれ前記溝の間を延在する複数の水平な平台部を有する、請求項１に記載の装置。
【請求項３】
前記キャリッジフレームは、前記平台部のうちのひとつにヘッドレストを支持させる、請求項２に記載の装置。
【請求項４】
前記キャリッジフレームは、前記リブのうちのひとつに一対の肩当て部を支持させる、請求項１に記載の装置。
【請求項５】
前記リブのうちのひとつは、該リブに固定され、前記細長い弾性部材の各々の一端にアンカーを提供するロッドを有する、請求項１に記載の装置。
【請求項６】
前記矩形フレームの前記足端部には、前記トラック部材の間を、ばね支持クロス部材が延在する、請求項１に記載の装置。
【請求項７】
前記細長い弾性部材は複数のばねであり、各ばねの一端が前記キャリッジフレームの第一のリブに取り付けられ、各ばねの他端が前記ばね支持クロス部材に取り外し可能に取り付けられた、請求項６に記載の装置。
【請求項８】
前記他端が前記ばね支持クロス部材から取り外されたときに第二のリブが前記各ばねの支持作用を提供する、請求項７に記載の装置。
【請求項９】
前記矩形フレームは、アルミニウム製であり、前記キャリッジフレームは鋼板金製である、請求項１に記載のエクササイズ装置。
【請求項１０】
頭端部、足端部、および前記頭端部と前記足端部との間に互いに平行となるように離間させて配置された入れ子状に伸縮可能な一対のトラック部材を有する矩形フレームと、
前記矩形フレーム上に配設され、前記頭端部と前記足端部との間を前記トラック部材に沿って移動し、前記トラック部材が完全に縮められると前記トラック部材上で把持されるように構成された可動キャリッジと、
前記可動キャリッジに配設された一対の支持ブラケットに固定された一対の折り畳み可能な肩当て部と、
前記矩形フレームの前記足端部の側に前記可動キャリッジを付勢するために、前記キャリッジと前記足端部との間に架け渡された複数の細長い弾性部材と、を有するエクササイズ装置。
【請求項１１】
前記キャリッジの垂直部に前記一対のブラケットがそれぞれ固定されている、請求項１０に記載の肩当て部。
【請求項１２】
頭端部、足端部、および前記頭端部と前記足端部との間に互いに平行となるように離間させて配置された入れ子状に伸縮可能な一対のトラック部材を有する矩形フレームと、
前記トラック部材上に配設され、前記頭端部と前記足端部との間を前記トラック部材に沿って移動し、前記トラック部材が完全に縮められると前記トラック部材上で把持されるように構成された、可動キャリッジと、
前記可動キャリッジと前記足端部との間に架け渡され、前記矩形フレームの前記足端部の側に前記キャリッジを付勢する複数の細長い弾性部材と、を有するエクササイズ装置。
【請求項１３】
前記矩形フレームの前記足端部に固定されたクロス部材と、
前記キャリッジに配設されそのそれぞれが前記トラック部材のうちの一方の側部に当たって転動するように位置決めされた一対のガイド輪と、をさらに有し、該トラック部材上に前記キャリッジを保持するように前記トラック部材が完全に縮められると前記可動キャリッジのフレームが前記クロス部材によって把持されることを特徴とする、請求項１２に記載のエクササイズ装置。
【請求項１４】
前記クロス部材は前記各弾性部材の一端を支持する、請求項１３に記載のエクササイズ装置。
【請求項１５】
前記各トラック部材は、筒状の足端部部材に入れ子式に収納される細長い頭端部レール部材と、前記足端部部材相互の間に固定され該足端部部材の平行な位置関係を維持するキャリッジ係止部材と、を備える、請求項１３に記載のエクササイズ装置。
【請求項１６】
前記トラック部材が縮められると、前記キャリッジの一部が前記ばね支持クロス部材に係合して該トラック部材上で前記キャリッジを把持する、請求項１５に記載のエクササイズ装置。
【請求項１７】
頭端部、足端部、および前記頭端部と前記足端部との間に互いに平行となるように離間させて配置された一対のトラック部材を有し、各トラック部材が筒状の足端部レール部材の中に入れ子式に格納される頭端部レール部材を有する、矩形フレームと、
前記トラック部材上に配設され、前記頭端部および足端部間を前記トラック部材に沿って動き、前記トラック部材が完全に縮められるとそのトラック部材上で把持される可動キャリッジであって、前記トラック部材に嵌着する二条の平行に離間した溝を形成する板金製のフレームと、複数の平台部と、前記溝間にある複数の横リブとを有するキャリッジと、
前記キャリッジのフレームの下面に配設されて前記頭端部レール部材に接して転動する第一のガイド輪セットと、前記キャリッジのフレームの下面に配設されて前記足端部レール部材上を転動する第二のガイド輪セットと、を有するエクササイズ装置。
【請求項１８】
前記ガイド輪は、前記キャリッジのフレームの溝の各端部に隣接して配置されている、請求項１７に記載の装置。
【請求項１９】
前記キャリッジのフレーム上に配置されたキャリッジパッドをさらに有し、前記溝は前記キャリッジパッドを越えて延在し、前記溝の各端部は、前記キャリッジのフレームが前記矩形フレームの頭端部又は足端部と衝突した時の衝撃負荷を吸収する弾性バンパを有する、請求項１７に記載の装置。
【請求項２０】
キャリッジ係止クロス部材が、前記各足端部レール部材の頭端部の前記下面部に固定され、前記足端部レール部材相互の間に延在し該足端部部材の平行な位置関係を維持する、請求項１７に記載のエクササイズ装置。
【請求項２１】
各足端部レール部材は、前記足端部レール部材の開口端部の周辺に外部ガイドを有するとともに、
前記足端部レール部材の中の前記頭端部レール部材上に配置された内部ガイドを有し、該外部ガイドおよび内部ガイドにより前記頭端部レール部材の前記足端部レール部材の内部に沿った円滑な運動が可能になる、請求項１７に記載のエクササイズ装置。
【請求項２２】
前記足端部レール部材は、前記頭端部レール部材および前記足端部レール部材の円滑な運動を可能にするためにユーザが締めることができるレール部材ピンを有する、請求項２１に記載のエクササイズ装置。
【請求項２３】
前記トラック部材は、アルミニウム製であり、前記キャリッジのフレームは鋼板金製である請求項２１に記載のエクササイズ装置。